(57)【要約】【課題】  居室に供給される床下空間の空気の温度上昇を防ぎつつ、小屋裏ダクトの敷設や取り回し等を容易に行う。【解決手段】  基礎８と地面９と床１０とで区画された床下空間２と、床１０と天井１２との間に区画された居室３と、天井１０と屋根２５との間に区画されかつ断熱区画内とされた小屋裏４と、床下空間２の空気を、居室３に供給するための給気装置５とを有する住宅１である。給気装置５は、小屋裏４内を延びる小屋裏ダクト４８を介して居室３に床下空間２の空気Ａｕを供給する第１通気路４１と、小屋裏４内に床下空間２の空気Ａｕを供給するための第２通気路４２とを含む。【選択図】図１
2018141281.tif 000002
【特許請求の範囲】
【請求項１】
住宅であって、
基礎と地面と床とで区画された床下空間と、
前記床と天井との間に区画された居室と、
前記天井と屋根との間に区画されかつ断熱区画内とされた小屋裏と、
前記床下空間の空気を、前記居室に供給するための給気装置とを有し、
前記給気装置は、前記小屋裏内を延びる小屋裏ダクトを介して前記居室に前記床下空間の空気を供給する第１通気路と、前記小屋裏内に前記床下空間の空気を供給するための第２通気路とを含む住宅。
【請求項２】
前記給気装置は、前記第１通気路及び前記第２通気路に前記床下空間から前記居室に向かう空気の流れを生成するための第１ファンを含み、
前記小屋裏には、前記小屋裏の空気を屋外に排出するための第２ファンが設けられている請求項１記載の住宅。
【請求項３】
前記第２ファンの風量は、前記第１ファンの風量よりも小さい請求項２記載の住宅。
【請求項４】
前記第１通気路及び前記第２通気路は、前記床下空間から前記小屋裏までを延びる共用の通気路と、前記小屋裏内に配され前記床下空間の空気を少なくとも２つに分岐させる分岐装置とを含み、
前記第１通気路の前記小屋裏ダクトが前記分岐装置に接続されている請求項１乃至３のいずれかに記載の住宅。
【発明の詳細な説明】
【技術分野】
【０００１】
本発明は、住宅に関し、詳しくは、床下空間の空気を、居室に供給するための給気装置を具えた住宅に関する。
【背景技術】
【０００２】
下記特許文献１では、床下空間の空気を、居室に供給するための給気装置を具えた住宅が提案されている。給気装置は、床下空間から小屋裏までを延びるダクト部を有している。このダクト部は、小屋裏内を延びる小屋裏ダクトを含んでいる。この給気装置によれば、例えば、夏期において、外気よりも温度の低い床下空間の空気を居室に供給することで、換気を図りながら居室の温度を下げることができる。
【０００３】
ところで、小屋裏は、日射等の影響により、熱が滞留しやすい。このため、小屋裏ダクトを通過する床下空間の空気は、小屋裏の熱によって温められ、その温度が上昇するおそれがある。このような床下空間の空気の温度上昇を防ぐために、下記特許文献１では、小屋裏ダクトの外周面に断熱材が配置されている。
【先行技術文献】
【特許文献】
【０００４】
【特許文献１】特開２０１０−１６４２４１号公報
【発明の概要】
【発明が解決しようとする課題】
【０００５】
上記特許文献１の住宅では、断熱材の厚みによって小屋裏ダクトの外径が増加するため、小屋裏ダクトの敷設や取り回しが困難になるという問題があった。
【０００６】
本発明は、以上のような実状に鑑み案出されたもので、居室に供給される床下空間の空気の温度上昇を防ぎつつ、小屋裏ダクトの敷設や取り回し等を容易に行うことができる住宅を提供することを主たる目的としている。
【課題を解決するための手段】
【０００７】
本発明は、住宅であって、基礎と地面と床とで区画された床下空間と、前記床と天井との間に区画された居室と、前記天井と屋根との間に区画されかつ断熱区画内とされた小屋裏と、前記床下空間の空気を、前記居室に供給するための給気装置とを有し、前記給気装置は、前記小屋裏内を延びる小屋裏ダクトを介して前記居室に前記床下空間の空気を供給する第１通気路と、前記小屋裏内に前記床下空間の空気を供給するための第２通気路とを含むことを特徴とする。
【０００８】
本発明に係る前記住宅において、前記給気装置は、前記第１通気路及び前記第２通気路に前記床下空間から前記居室に向かう空気の流れを生成するための第１ファンを含み、
前記小屋裏には、前記小屋裏の空気を屋外に排出するための第２ファンが設けられていてもよい。
【０００９】
本発明に係る前記住宅において、前記第２ファンの風量は、前記第１ファンの風量よりも小さくてもよい。
【００１０】
本発明に係る前記住宅において、前記第１通気路及び前記第２通気路は、前記床下空間から前記小屋裏までを延びる共用の通気路と、前記小屋裏内に配され前記床下空間の空気を少なくとも２つに分岐させる分岐装置とを含み、前記第１通気路の前記小屋裏ダクトが前記分岐装置に接続されていてもよい。
【発明の効果】
【００１１】
本発明の住宅は、天井と屋根との間に区画されかつ断熱区画内とされた小屋裏と、床下空間の空気を、居室に供給するための給気装置とを有している。給気装置は、小屋裏内を延びる小屋裏ダクトを介して居室に床下空間の空気を供給する第１通気路と、小屋裏内に床下空間の空気を供給するための第２通気路とを含んでいる。
【００１２】
本発明の住宅は、断熱区画内とされた小屋裏内に、第２通気路を介して、床下空間の空気が供給されるため、小屋裏内に熱が滞留するのを防ぐことができる。このため、本発明の住宅は、大がかりな断熱材を用いることなく、小屋裏ダクト内の空気の温度上昇を防ぐことができる。従って、本発明の住宅は、限られたスペースである小屋裏において、小屋裏ダクトの敷設や取り回しを行うことができる。
【図面の簡単な説明】
【００１３】
【図１】本発明の住宅の一例を示す部分断面図である。
【図２】図１の部分拡大図である。
【発明を実施するための形態】
【００１４】
以下、本発明の実施の一形態が図面に基づき説明される。図１は、本発明の住宅の一例を示す部分断面図である。なお、各図面は、発明の内容の理解を高めるためのものであり、誇張された表示が含まれる他、各図面間において、縮尺等は厳密に一致していない点が予め指摘される。
【００１５】
本実施形態の住宅１は、床下空間２、居室３、小屋裏４、及び、給気装置５を有している。
【００１６】
床下空間２は、基礎８と地面９と床１０とで区画されている。基礎８には、基礎８の立ち上がり部で開口する基礎給気口１１が設けられている。この基礎給気口１１を介して、新鮮な外気Ａｏが、床下空間２に取り込まれる。地面９は、例えば、土間コンクリート等で仕上げられている。
【００１７】
床下空間２に供給された外気Ａｏは、例えば、床下空間２の地面９を介して、地冷熱と熱交換する。これにより、床下空間２は、夏期において、外気Ａｏよりも温度が低い床下空間２の空気（以下、単に「床下空気」ということがある。）Ａｕを蓄えることができる。また、床下空間２は、冬期において、外気Ａｏよりも温度が高い床下空気Ａｕを蓄えることができる。床下空気Ａｕの温度を安定させるために、基礎８には、例えば、発泡樹脂等の断熱材（図示省略）が配置されるのが望ましい。
【００１８】
居室３は、床１０と天井１２との間に区画されている。さらに、居室３は、土台１３の上に固定される外壁１４と、外壁１４、１４間に配置される間仕切り壁（図示省略）とによって囲まれている。
【００１９】
外壁１４は、例えば、パネル状に形成されている。本実施形態の外壁１４は、屋根梁（図示省略）と、土台１３との間に固定されている。外壁１４は、例えば、枠体１８、第１断熱材１９、第１防湿気密層２０、内装材２１、及び、外装材２２を含んで構成されている。
【００２０】
第１断熱材１９は、例えば、枠体１８の内部に配置されている。第１断熱材１９としては、例えば、ロックウールや、グラスウール等の繊維材や、ポリスチレンフォーム等の樹脂材等が採用されうる。
【００２１】
第１防湿気密層２０は、例えば、外壁１４内に浸入しようとする空気や湿気を遮断するためのものである。本実施形態の第１防湿気密層２０は、例えば、ポリエチレンシートで形成されており、第１断熱材１９の屋内Ｓ２側に配置されている。
【００２２】
内装材２１は、例えば、石膏ボードによって構成されている。内装材２１は、第１防湿気密層２０の屋内Ｓ２側に配置され、枠体１８に固定されている。
【００２３】
外装材２２は、例えば、ＡＬＣ等の発泡コンクリートパネルや、窯業系外装パネルによって構成されている。外装材２２は、枠体１８の屋外Ｓ１側に配置されている。本実施形態の外装材２２は、枠体１８の屋外Ｓ１側に設けられたスペーサ（図示省略）を介して、枠体１８に固定されている。従って、外装材２２は、第１断熱材１９から屋外Ｓ１側に離間して配置される。これにより、外壁１４には、外装材２２と第１断熱材１９との間の空隙によって、上下に延びる第１通気層２３が形成される。
【００２４】
第１通気層２３は、第１通気層２３の下端から導入された外気Ａｏを外壁１４内に通過させ、第１通気層２３の上端から排出することができる。これにより、第１通気層２３は、第１通気層２３内を上昇する空気（外気Ａｏ）の流れによって、外壁１４内に侵入した湿気を、外壁１４から排出することができる。従って、第１通気層２３は、外壁１４の内部を換気でき、外壁１４内の結露や、外壁１４の劣化等を抑制するのに役立つ。
【００２５】
天井１２は、パネル状に形成された天井材１２Ａを含んで構成されている。天井材１２Ａとしては、例えば、外壁１４の内装材２１と同様に、石膏ボードが採用される。また、天井１２の小屋裏４側には、第２防湿気密層２４が設けられている。第２防湿気密層２４は、外壁１４の第１防湿気密層２０と同様のもので構成されている。このような第２防湿気密層２４は、居室３の湿気が小屋裏４内に浸入するのを防ぐことができる。
【００２６】
小屋裏４は、天井１２と屋根２５との間に区画されている。図２は、図１の部分拡大図である。
【００２７】
屋根２５は、垂木２８、野地板２９、屋根葺材３０、軒天井３１、及び、第２断熱材３２を有している。
【００２８】
垂木２８は、例えば、屋根梁（図示省略）に固定されており、棟側から軒側に向かって下降する勾配を有している。垂木２８は、外壁通り（図示省略）に沿って屋根勾配に直交する方向に、例えば２００〜５００mmの間隔で隔設されている。
【００２９】
野地板２９は、パネル状に形成されている。本実施形態の野地板２９としては、例えば、強度の高い構造用合板が採用される。野地板２９は、例えば、垂木２８の勾配に沿って固定されている。野地板２９の内面は、屋根２５の小屋裏４側を向く屋根内面２５ｉを構成している。本実施形態の野地板２９の外面には、例えば、雨水の進入を防ぐための防水シート層（図示省略）が敷設されている。
【００３０】
屋根葺材３０は、野地板２９の上に配置されている。屋根葺材３０としては、例えば、瓦、金属板葺、又は、スレート葺等が採用されている。
【００３１】
軒天井３１は、垂木２８の下方側で、外壁１４から軒側（屋外Ｓ１側）に突出する面材によって形成されている。軒天井３１は、例えば、垂木２８の端部に固定される鼻隠し（図示省略）と、外壁１４の外装材２２との間に固定されている。軒天井３１には、小屋裏４の空気を排出するための小屋裏排気口３５が形成されている。小屋裏排気口３５は、屋根内面２５ｉと軒天井３１との間の空間（以下、単に「軒先空間部」ということがある。）３６と、屋外Ｓ１との間で、軒天井３１を貫通する開口として形成されている。
【００３２】
第２断熱材３２は、第１断熱材１９と同様のもので構成されている。本実施形態の第２断熱材３２は、垂木２８の勾配に沿って固定される上側断熱材３２Ａ、及び、上側断熱材３２Ａの下端と外壁１４の第１断熱材１９の上端との間に固定される下側断熱材３２Ｂを含んでいる。これらの第１断熱材１９及び第２断熱材３２により、小屋裏４は、居室３とともに、断熱区画内とされている。従って、本実施形態の住宅１は、日射等の影響により、小屋裏４の温度上昇を防ぐことができる。
【００３３】
上側断熱材３２Ａは、外壁通りに沿って隔設された垂木２８、２８間に配されており、野地板２９から小屋裏４側に離間して固定されている。上側断熱材３２Ａの固定方法については、適宜採用することができる。例えば、上側断熱材３２Ａは、接着剤（図示省略）や金物（図示省略）等を介して垂木２８に固定されてもよい。これにより、屋根２５には、野地板２９と上側断熱材３２Ａとの間の空隙によって、第２通気層３８が形成される。本実施形態の第２通気層３８は、垂木２８の勾配に沿って延びている。
【００３４】
第２通気層３８は、第１通気層２３から軒先空間部３６に排出された外気Ａｏを、第２通気層３８の下端から導入して、屋根２５の内部に通過させることできる。そして、第２通気層３８に導入された外気Ａｏは、第２通気層３８の上端に設けられた開口部（図示省略）を介して、屋外Ｓ１に排出される。これにより、第２通気層３８は、第２通気層３８内を上昇する空気（外気Ａｏ）の流れによって、屋根２５の第２断熱材３２の内部に侵入した湿気を、屋外Ｓ１に排出することができる。従って、第２通気層３８は、第２断熱材３２の内部を換気でき、屋根２５の内部の結露や、屋根２５の劣化等を抑制するのに役立つ。
【００３５】
また、第２通気層３８は、第２通気層３８内を通過する空気（外気Ａｏ）の流れにより、日射等で加熱された屋根葺材３０や野地板２９を冷却することができる。従って、本実施形態の第２通気層３８は、第２断熱材３２との相乗効果により、小屋裏４の温度上昇を効果的に防ぐことができる。
【００３６】
図１に示されるように、給気装置５は、床下空気Ａｕを、居室３に供給するためのものである。本実施形態の給気装置５は、第１通気路４１、第２通気路４２、及び、第１ファン４３を含んでいる。
【００３７】
第１通気路４１は、床下空気Ａｕを居室３に供給するためのものである。他方、第２通気路４２は、床下空気Ａｕを小屋裏４内に供給するためのものである。本実施形態の第１通気路４１及び第２通気路４２は、共用の通気路４６と、分岐装置４７とを含んで構成されている。
【００３８】
共用の通気路４６は、床下空間２から小屋裏４まで延びている。本実施形態の共用の通気路４６は、筒状に形成されたダクトとして構成されている。共用の通気路４６は、床下空間２と小屋裏４との間を連通しており、床下空気Ａｕを分岐装置４７に案内することができる。なお、共用の通気路４６は、床下空気Ａｕを案内可能なものであれば、ダクトに限定されない。共用の通気路４６は、例えば、間仕切り壁（図示省略）等で囲まれた空間で形成されてもよい。
【００３９】
分岐装置４７は、小屋裏４内に配されており、共用の通気路４６から案内された床下空気Ａｕを少なくとも２つに分岐させるためのものである。図２に示されるように、本実施形態の分岐装置４７は、主管４７Ａ、第１分岐管４７Ｂ、及び、第２分岐管４７Ｃを含んで構成されている。
【００４０】
主管４７Ａは、第１分岐管４７Ｂ、及び、第２分岐管４７Ｃにそれぞれ連通している。主管４７Ａは、共用の通気路４６の小屋裏４側の端部に接続されている。第１分岐管４７Ｂは、小屋裏４内を延びる小屋裏ダクト４８の一端に接続されている。第２分岐管４７Ｃは、小屋裏４で開口している。このような分岐装置４７は、共用の通気路４６から主管４７Ａに案内された床下空気Ａｕを、第１分岐管４７Ｂ及び第２分岐管４７Ｃのそれぞれに分岐して供給することができる。本実施形態の第２分岐管４７Ｃの管径は、第１分岐管４７Ｂの管径よりも小さく設定されている。
【００４１】
小屋裏ダクト４８は、小屋裏４内を延びており、筒状に形成されている。小屋裏ダクト４８の一端は、分岐装置４７の第１分岐管４７Ｂに接続されている。小屋裏ダクト４８の他端は、天井材１２Ａに設けられた開口５０に接続されている。本実施形態の小屋裏ダクト４８には、上記特許文献１のような断熱材（図示省略）が配置されていない。
【００４２】
図１に示されるように、本実施形態の第１ファン４３は、床下空間２内に設けられており、共用の通気路４６の床下空間２側に接続されている。第１ファン４３は、床下空間２から共用の通気路４６側に向かって送風している。これにより、第１ファン４３は、共用の通気路４６（即ち、第１通気路４１及び第２通気路４２）に、床下空間２から居室３に向かう空気（本実施形態では、床下空気Ａｕ）の流れを生成することができる。
【００４３】
本実施形態の第１通気路４１は、図２に示されるように、共用の通気路４６、分岐装置４７の主管４７Ａ、分岐装置４７の第１分岐管４７Ｂ、及び、小屋裏ダクト４８によって構成されている。これにより、第１通気路４１は、床下空間２と居室３との間を連通させることができる。このような第１通気路４１は、例えば、夏期において、外気Ａｏよりも温度の低い床下空気Ａｕを居室３に供給することができる。これにより、住宅１は、居室３の換気を図りながら、居室３の温度を下げることができる。
【００４４】
また、第１通気路４１は、冬期において、外気Ａｏよりも温度が高い床下空気Ａｕを居室３に供給することができる。これにより、住宅１は、居室３の換気を図りながら、居室３の温度を上げることができる。
【００４５】
このように、住宅１は、床下空気Ａｕを利用することで、空調コストを抑えることができる。居室３に供給された床下空気Ａｕは、例えば、外壁１４等に形成された換気口（図示省略）から屋外Ｓ１に排出される。なお、換気口には、居室３から屋外Ｓ１に向かって送風するファン（図示省略）が設けられてもよい。これにより、住宅１は、居室３内を効率よく換気することができる。
【００４６】
本実施形態の第２通気路４２は、共用の通気路４６、分岐装置４７の主管４７Ａ、及び、分岐装置４７の第２分岐管４７Ｃによって構成されている。これにより、第２通気路４２は、床下空間２と小屋裏４との間を連通させることができる。このような第２通気路４２は、例えば、夏期において、外気Ａｏよりも温度の低い床下空気Ａｕを、断熱区画内とされた小屋裏４内に供給することができる。本実施形態において、小屋裏４に供給された床下空気Ａｕは、例えば、第２断熱材３２の下側断熱材３２Ｂに形成された換気口５５を介して、第２通気層３８、又は、小屋裏排気口３５から屋外Ｓ１に排出される。
【００４７】
このように、住宅１は、断熱区画内とされた小屋裏４内に、第２通気路４２を介して、床下空気Ａｕが供給されるため、小屋裏４内に熱が滞留するのを防ぐことができる。これにより、住宅１は、小屋裏ダクト４８に大がかりな断熱材（図示省略）が配されていなくても、小屋裏４内に滞留した熱に起因する小屋裏ダクト４８内の空気（即ち、床下空気Ａｕ）の温度上昇を防ぐことができる。従って、本実施形態の住宅１は、限られたスペースである小屋裏４において、小屋裏ダクト４８の敷設や取り回しを容易に行うことができる。しかも、本実施形態の第２分岐管４７Ｃの管径は、第１分岐管４７Ｂの管径よりも小さく設定されているため、小屋裏４への床下空気Ａｕの供給量を、居室３への床下空気Ａｕの供給量よりも小さくすることができる。これにより、本実施形態の住宅１は、床下空気Ａｕを居室３に優先的に供給できるため、小屋裏４内の熱の滞留を防ぎつつ、空調コストを効果的に抑えることができる。
【００４８】
また、本実施形態の住宅１は、例えば、冬期において、第２防湿気密層２４で遮断しきれずに小屋裏４内に浸入した居室３の湿気を、小屋裏４に供給された床下空気Ａｕとともに屋外Ｓ１に排気することができる。従って、本実施形態の住宅１は、小屋裏４、及び、第２断熱材３２の内部に結露が発生するのを防ぐことができ、屋根２５の劣化等を防ぐことができる。
【００４９】
小屋裏４には、小屋裏４の空気を屋外Ｓ１に排出するための第２ファン５６が設けられているのが望ましい。本実施形態の第２ファン５６は、例えば、第２断熱材３２の下側断熱材３２Ｂの換気口５５に設けられている。これにより、住宅１は、小屋裏４の空気が積極的に排気されるため、小屋裏４内の熱の滞留や、結露の発生を効果的に防ぐことができる。
【００５０】
第２ファン５６の風量は、第１ファン４３の風量よりも小さいのが望ましい。さらに、第２ファン５６の風量は、小屋裏４に供給される床下空気Ａｕの風量よりも小さいのが望ましい。これにより、小屋裏４が正圧に維持されるため、小屋裏４内に外気Ａｏが浸入するのを防ぐことができる。このような作用を効果的に発揮させるために、第２ファン５６の風量は、第１ファン４３の風量の０．１倍〜０．２倍程度が望ましい。
【００５１】
本実施形態の小屋裏ダクト４８の外周面には、断熱材（図示省略）が配されていない態様が例示されたが、小屋裏ダクト４８の敷設や取り回しを阻害しない程度の小さな厚さ（例えば、１〜５mm程度）を有する断熱材（図示省略）が配されていてもよい。これにより、住宅１は、小屋裏ダクト４８内の空気の温度上昇をより確実に防ぐことができる。
【００５２】
また、本実施形態では、第２分岐管４７Ｃの管径を、第１分岐管４７Ｂの管径よりも小さくすることで、小屋裏４への床下空気Ａｕの供給量が、居室３への床下空気Ａｕの供給量よりも小さく設定されたが、このような態様に限定されない。例えば、分岐装置４７に風量調節ダンパー（図示省略）が設けられることにより、小屋裏４への床下空気Ａｕの供給量と、居室３への床下空気Ａｕの供給量とが調節されてもよい。
【００５３】
以上、本発明の特に好ましい実施形態について詳述したが、本発明は図示の実施形態に限定されることなく、種々の態様に変形して実施しうる。
【符号の説明】
【００５４】
１      住宅
２      床下空間
３      居室
４      小屋裏
５      給気装置
４１      第１通気路
４２      第２通気路
４８      小屋裏ダクト
Ａｕ      床下空間の空気
【図１】
2018141281.tif 000003
【図２】
2018141281.tif 000004